(57)【要約】      （修正有）【課題】便槽の上に、床と便器が積層されて接続された仮設トイレにおいて、便槽に収容した汚物の臭気の漏洩を簡易かつ確実に防止する仮設トイレの防臭構造を提供する。【解決手段】仮設トイレ１００の防臭構造において、床２０の通し孔の通し孔上縁面と便器３０の外周下縁面との間に介装された上部シール材５２が、床２０の上に積層される便器３０の重量を受けて、それらの床２０の通し孔上縁面と便器３０の外周下縁面との間に挟圧される。さらに、便槽１０の上部開口の開口上縁面と床２０の通し孔の通し孔下縁面との間に介装された下部シール材５３が、便槽１０の上に積層される床２０及び便器３０の重量を受けて、それらの便槽１０の開口上縁面と床２０の通し孔下縁面との間に挟圧されてなる。【選択図】図２
0003182812.tif 000002
【実用新案登録請求の範囲】
【請求項１】
便槽の上に、床と便器が積層されて接続され、
便器の底部の落とし口に便蓋が設けられるとともに、該落とし口が床の通し孔を介して便槽の上部開口に連通されてなる仮設トイレの防臭構造において、
床の通し孔上縁面と便器の外周下縁面との間に介装された上部シール材が、床の上に積層される便器の重量を受けて、それらの床の通し孔上縁面と便器の外周下縁面との間に挟圧され、
便槽の上部開口の開口上縁面と床の通し孔下縁面との間に介装された下部シール材が、便槽の上に積層される床及び便器の重量を受けて、それらの便槽の開口上縁面と床の通し孔下縁面との間に挟圧されてなることを特徴とする仮設トイレの防臭構造。
【請求項２】
前記床が上下２段をなす上段床と下段床の積層体からなり、
上段床の通し孔上縁面と便器の外周下縁面との間に介装された上部シール材が、上段床の上に積層される便器の重量を受けて、それらの上段床の通し孔上縁面と便器の外周下縁面との間に挟圧され、
下段床の通し孔上縁面と上段床の通し孔下縁面との間に介装された中間シール材が、下段床の上に積層される上段床及び便器の重量を受けて、それらの下段床の通し孔上縁面と上段床の通し孔下縁面との間に挟圧され、
便槽の上部開口の開口上縁面と下段床の通し孔下縁面との間に介装された下部シール材が、便槽の上に積層される下段床、上段床及び便器の重量を受けて、それらの便槽の開口上縁面と下段床の通し孔下縁面との間に挟圧されてなる請求項１に記載の仮設トイレの防臭構造。
【請求項３】
前記床にハウスの下端部を取着し、床及び便器がハウス内に配置されてなる請求項１又は２に記載の仮設トイレの防臭構造。
【考案の詳細な説明】
【技術分野】
【０００１】
本考案は仮設トイレの防臭構造に関する。
【背景技術】
【０００２】
工事現場等に設置される仮設トイレとして、特許文献１に記載の如く、便槽の上に、床と便器が積層されて接続され、便器の底部の落とし口に便蓋が設けられるとともに、該落とし口が床の通し孔を介して便槽の上部開口に連通されてなるものがある。便槽の樹脂成形の簡易化のために、便器が固定される床と便槽を別体に成形し、その後、便槽の上に床を積層して接続一体化するものである。
【０００３】
また、同一の便槽を和式便器と洋式便器に共用するために、床を上下２段の上段床と下段床の積層体からなるものにしている。即ち、便座高さの低い和式便器では、上段床を下段床の上に載せることにより便器を嵩上げするものである。また、便座高さの高い洋式便器では、下段床の上に便器を直接固定するものである。
【先行技術文献】
【特許文献】
【０００４】
【特許文献１】特開2010-222869
【考案の概要】
【考案が解決しようとする課題】
【０００５】
しかしながら、従来技術では、便槽と床（上段床及び下段床）をブロー成形等によって樹脂成形していて、それらの寸法精度が悪い。
【０００６】
それ故に、床（上段床）の通し孔上縁面に便器の外周下縁面を載置して両者を積層するとき、床（上段床）の通し孔上縁面は平面精度が悪く凹凸面となる。また、便槽の上部開口の開口上縁面に床（下段床）の通し孔下縁面を載置して両者を積層するとき、床（下段床）の通し孔下縁面と便槽の開口上縁面は共に平面精度が悪く凹凸面となる。
【０００７】
従って、便槽の上に、床を介して、便器を積層して接続一体化した仮設トイレにおいて、床（上段床）の通し孔上縁面と便器の外周下縁面との接続部、便槽の開口上縁面と床（下段床）の通し孔下縁面との接続部が密着せずに隙間を生ずる。更に、床が上下２段の上段床と下段床の積層体からなるものにあっては、上段床の通し孔下縁面と下段床の通し孔上縁面との接続部が密着せずに隙間を生ずる。これにより、便槽に収容した汚物の臭気がそれらの接続部の隙間から外部空間に容易に漏洩し、仮設トイレの使用環境を損なう。
【０００８】
本考案の課題は、便槽の上に、床と便器が積層されて接続された仮設トイレにおいて、便槽に収容した汚物の臭気の漏洩を簡易かつ確実に防止することにある。
【課題を解決するための手段】
【０００９】
請求項１に係る考案は、便槽の上に、床と便器が積層されて接続され、便器の底部の落とし口に便蓋が設けられるとともに、該落とし口が床の通し孔を介して便槽の上部開口に連通されてなる仮設トイレの防臭構造において、床の通し孔上縁面と便器の外周下縁面との間に介装された上部シール材が、床の上に積層される便器の重量を受けて、それらの床の通し孔上縁面と便器の外周下縁面との間に挟圧され、便槽の上部開口の開口上縁面と床の通し孔下縁面との間に介装された下部シール材が、便槽の上に積層される床及び便器の重量を受けて、それらの便槽の開口上縁面と床の通し孔下縁面との間に挟圧されてなるようにしたものである。
【００１０】
請求項２に係る考案は、請求項１に係る考案において更に、前記床が上下２段をなす上段床と下段床の積層体からなり、上段床の通し孔上縁面と便器の外周下縁面との間に介装された上部シール材が、上段床の上に積層される便器の重量を受けて、それらの上段床の通し孔上縁面と便器の外周下縁面との間に挟圧され、下段床の通し孔上縁面と上段床の通し孔下縁面との間に介装された中間シール材が、下段床の上に積層される上段床及び便器の重量を受けて、それらの下段床の通し孔上縁面と上段床の通し孔下縁面との間に挟圧され、便槽の上部開口の開口上縁面と下段床の通し孔下縁面との間に介装された下部シール材が、便槽の上に積層される下段床、上段床及び便器の重量を受けて、それらの便槽の開口上縁面と下段床の通し孔下縁面との間に挟圧されてなるようにしたものである。
【００１１】
請求項３に係る考案は、請求項１又は２に係る考案において更に、前記床にハウスの下端部を取着し、床及び便器がハウス内に配置されてなるようにしたものである。
【考案の効果】
【００１２】
（請求項１）
(a)便槽の上に、床を介して、便器を積層して接続一体化した仮設トイレにおいて、床（上段床）の通し孔上縁面と便器の外周下縁面との接続部、便槽の開口上縁面と床（下段床）の通し孔下縁面との接続部のそれぞれに上部シール材と下部シール材のそれぞれが介装される。そして、便槽の上に床と便器を積層するだけで、床（上段床）の上に積層される便器の重量が上部シール材に自然に及んでこれを挟圧し、便槽の上に積層される床（上段床と下段床）及び便器の重量が下部シール材に自然に及んでこれを挟圧するものになる。これにより、床（上段床と下段床）と便槽がブロー成形等によって樹脂成形され、床（上段床）の通し孔上縁面の平面精度、床（下段床）の通し孔下縁面の平面精度、便槽の開口上縁面の平面精度が悪く凹凸面となっている場合にも、上部シール材と下部シール材がそれらの床（上段床）の通し孔上縁面と便器の外周下縁面との接続部、便槽の開口上縁面と床（下段床）の通し孔下縁面との接続部の隙間を完全に埋めるものになる。
【００１３】
従って、便器が固定される床と便槽を別体に成形し、それらを積層して接続一体化した仮設トイレにあっても、床と便槽が当初から一体成形されたものと同様の気密構造を簡易に形成できる。即ち、便槽に収容した汚物の臭気が、便槽と床の接続部、床と便器の接続部の隙間から外部空間に漏洩する如くがない。よって、便槽に収容した汚物の臭気の漏洩を簡易かつ確実に防止できる。
【００１４】
（請求項２）
(b)同一の便槽を和式便器と洋式便器に共用するために、床を上下２段の上段床と下段床の積層体からなるものにした仮設トイレにあっても、上述(a)と実質的に同様にして、下段床の上に積層される上段床及び便器の重量が上段床の通し孔上縁面と下段床の通し孔上縁面との接続部に介装された中間シール材に自然に及んでこれを挟圧し、その接続部の隙間を埋め、臭気の漏洩を確実に防止できる。
【００１５】
（請求項３）
(c)床にハウスの下端部を取着し、床及び便器がハウス内に配置されてなる仮設トイレにおいては、上述(a)の各接続部に介装される上部シール材と下部シール材、更には上述(b)の接続部に介装される中間シール材を挟圧する重量として、床に取着したハウスの重量も自然に及ぶものになる。従って、それらのシール材を一層確実に挟圧し、それらの接続部の隙間を一層完全に埋め、臭気の漏洩を一層確実に防止できる。
【図面の簡単な説明】
【００１６】
【図１】図１は仮設トイレを破断して示す正面図である。
【図２】図２は仮設トイレの防臭構造を示す断面図である。
【図３】図３は仮設トイレの防臭構造を分解して示す断面図である。
【図４】図４は仮設トイレの防臭構造を分解して示す斜視図である。
【図５】図５は仮設トイレの組立手順を示す模式図である。
【図６】図６は仮設トイレの組立手順を示す模式図である。
【考案を実施するための形態】
【００１７】
図１に示した仮設トイレ１００は、工事現場等に設置されて使用される。仮設トイレ１００は、地面に据付けられる便槽１０の上に、床２０と便器３０を積層して接続一体化される。
【００１８】
本実施例において、床２０は、上下２段をなす下段床２１と上段床２２の積層体からなる。便器３０が和式のときには、下段床２１の上に上段床２２を載せることにより、便器３０を嵩上げする。便器３０が洋式のときには、下段床２１の上に便器３０を直接固定する。
【００１９】
仮設トイレ１００は、床２０（下段床２１）にハウス４０の下端部を取着し、床２０（下段床２１と上段床２２）及び便器３０がハウス４０内に設置される。ハウス４０は、床２０（下段床２１）の外周に沿って立設される後面及び両側面のパネル４１、並びに前面の扉用フレーム４２と、パネル４１及びフレーム４２の上端部に固定される屋根４３と、フレーム４２にヒンジ結合される開閉扉４４とから構成される。
【００２０】
便槽１０及び床２０（下段床２１と上段床２２）は、例えばＨＤＰＥ硬質ポリエチレン等の樹脂材料から形成され、その樹脂成形の簡易化や取扱いの容易化のために互いに別体とされていて、ブロー成形等により樹脂成形される。
【００２１】
便槽１０は、図３、図４に示す如く、扁平容器状をなし、上部開口１０Ａを備える。床２０を構成する下段床２１は、板状をなし、上下貫通する下通し孔２１Ａを備える。上段床２２は、中空箱状をなし、上下貫通する上通し孔２２Ａを備える。便器３０は、底部の落とし口３０Ａを備えるとともに、この落とし口３０Ａを開閉する便蓋３１を備える。
【００２２】
仮設トイレ１００にあっては、便器３０の落とし口３０Ａが床２０（下段床２１と上段床２２）の通し孔２１Ａ、２２Ａを介して便槽１０の上部開口１０Ａに連通される。そして、不図示のフットペダルスイッチの押込み操作により、洗浄水の射出とともに、便器３０の弁蓋３１が開く。洗浄水は糞尿とともに便器３０内を洗浄して汚物となり、便器３０の落とし口３０Ａから床２０の通し孔２１Ａ、２２Ａ、更には便槽１０の上部開口１０Ａを落下する。落下後に、弁蓋３１は閉まる。汚物は便槽１０内に収容され、便槽１０内で生じた臭気は、便槽１０から上方へ延びる臭気排出管４５（図６）を通って外部に排出される。
【００２３】
以下、便槽１０の上に、床２０（下段床２１と上段床２２）と便器３０が積層されて接続された仮設トイレ１００において、便槽１０に収容した汚物の臭気の漏洩を防止する構造について説明する（図２〜図４）。
【００２４】
(i)下段床２１の下通し孔２１Ａの周辺の通し孔上縁面（通し孔上縁部の上面）５１ｉ（図３）と、上段床２２の上通し孔２２Ａの周辺の通し孔下縁面（通し孔下縁部の下面）５１ｊ（図３）との間に中間シール材５１を介装する。そして、この中間シール材５１が、下段床２１の上に積層される上段床２２及び便器３０の重量を受けて、それらの下段床２１の通し孔上縁面５１ｉと上段床２２の通し孔下縁面５１ｊとの間に挟圧されるものとする。これにより、下段床２１の通し孔上縁面５１ｉと上段床２２の通し孔下縁面５１ｊの接続部が封止される。中間シール材５１は、柔軟ゴム等の弾性材料からなるものとされ、下段床２１の通し孔上縁面５１ｉと上段床２２の通し孔下縁面５１ｊに対する取付面に、予め両面粘着テープが付与されたものを用いる。
【００２５】
(ii)上段床２２の上通し孔２２Ａの周辺の通し孔上縁面（通し孔上縁部の上面）５２ｉ（図３）と、便器３０の外周フランジ３２の下面である外周下縁面（通し孔下縁部の下面）５２ｊ（図３）との間に、上部シール材５２を介装する。そして、この上部シール材５２が、上段床２２の上に積層される便器３０の重量を受けて、それらの上段床２２の通し孔上縁面５２ｉと便器３０の外周下縁面５２ｊとの間に挟圧されるものとする。これにより、上段床２２の通し孔上縁面５２ｉと便器３０の外周下縁面５２ｊの接続部が封止される。上部シール材５２は、柔軟ゴム等の弾性材料からなるものとされ、上段床２２の通し孔上縁面５２ｉと便器３０の外周下縁面５２ｊに対する取付面に、予め両面粘着テープが付されたものを用いる。
【００２６】
(iii)便槽１０の上部開口１０Ａの周辺の開口上縁面（開口上縁部の上面）５３ｉ（図３）と、下段床２１の下通し孔２１Ａの周辺の通し孔下縁面（通し孔下縁部の下面）５３ｊ（図３）との間に下部シール材５３を介装する。そして、この下部シール材５３が、便槽１０の上に積層される下段床２１、上段床２２及び便器３０の重量を受けて、それらの便槽１０の開口上縁面５３ｉと下段床２１の通し孔下縁面５３ｊとの間に積層されるものとする。これにより、便槽１０の開口上縁面５３ｉと下段床２１の通し孔下縁面５３ｊの接続部が封止される。下部シール材５３は、柔軟ゴム等の弾性材料からなるものとされ、便槽１０の開口上縁面５３ｉと下段床２１の通し孔下縁面５３ｊに対する取付面に、予め両面粘着テープが付されたものを用いる。
【００２７】
尚、便槽１０にあっては、便槽１０内で生じた臭気を臭気排出管４５等に排気させるように開いているスリット状開口１１を、消臭シート５４で封止する（図４）。
【００２８】
次に、仮設トイレ１０の組立手順について説明する（図５、図６）。
(1)下段床２１にハウス４０のパネル４１の下端部を取着する（図５（Ａ））。
【００２９】
(2)下段床２１の上に上段床２２を積層して固定する（図５（Ｂ））。このとき、前述の如く、下段床２１の下通し孔２１Ａの周辺の通し孔上縁面５１ｉ（図３）と、上段床２２の上通し孔２２Ａの周辺の通し孔下縁面５１ｊ（図３）との間に中間シール材５１を介装する。
【００３０】
(3)下段床２１にハウス４０の扉用フレーム４２の下端部を取着し、パネル４１及び扉用フレーム４２の上に屋根４３を取着する（図５（Ｃ））。更に、ハウス４０の扉用フレーム４２に開閉扉４４をヒンジ結合する。
【００３１】
(4)上段床２２の上に便器３０を積層して固定する（図６（Ａ））。このとき、前述の如く、上段床２２の上通し孔２２Ａの周辺の通し孔上縁面５２ｉ（図３）と、便器３０の外周フランジ３２の下面である外周下縁面５２ｊ（図３）との間に、上部シール材５２を介装する。
【００３２】
(5)便槽１０の上に、上段床２２、便器３０及びハウス４０を上述の如くにして伴う下段床２１を積層して固定する（図６（Ｂ）、（Ｃ））。このとき、前述の如く、便槽１０の上部開口１０Ａの周辺の開口上縁面５３ｉ（図３）と、下段床２１の下通し孔２１Ａの周辺の通し孔下縁面５３ｊ（図３）との間に下部シール材５３を介装する。
【００３３】
従って、本実施例よれば以下の作用効果を奏する。
(a)便槽１０の上に、床２０を介して、便器３０を積層して接続一体化した仮設トイレ１００において、床２０（上段床２２）の通し孔上縁面５２ｉと便器３０の外周下縁面５２ｊとの接続部、便槽１０の開口上縁面５３ｉと床２０（下段床２１）の通し孔下縁面５３ｊとの接続部のそれぞれに上部シール材５２と下部シール材５３のそれぞれが介装される。そして、便槽１０の上に床２０と便器３０を積層するだけで、床２０（上段床２２）の上に積層される便器３０の重量が上部シール材５２に自然に及んでこれを挟圧し、便槽１０の上に積層される床２０（上段床２２と下段床２１）及び便器３０の重量が下部シール材５３に自然に及んでこれを挟圧するものになる。これにより、床２０（上段床２２と下段床２１）と便槽１０がブロー成形等によって樹脂成形され、床２０（上段床２２）の通し孔上縁面５２ｉの平面精度、床２０（下段床２１）の通し孔下縁面５３ｊの平面精度、便槽１０の開口上縁面５３ｉの平面精度が悪く凹凸面となっている場合にも、上部シール材５２と下部シール材５３がそれらの床２０（上段床２２）の通し孔上縁面５２ｉと便器３０の外周下縁面５２ｊとの接続部、便槽１０の開口上縁面５３ｉと床２０（下段床２１）の通し孔下縁面５３ｊとの接続部の隙間を完全に埋めるものになる。
【００３４】
従って、便器３０が固定される床２０と便槽１０を別体に成形し、それらを積層して接続一体化した仮設トイレ１００にあっても、床２０と便槽１０が当初から一体成形されたものと同様の気密構造を簡易に形成できる。即ち、便槽１０に収容した汚物の臭気が、便槽１０と下段床２１の接続部、下段床２１と上段床２２の接続部、上段床２２と便器３０の接続部の隙間から外部空間に漏洩する如くがない。よって、便槽１０に収容した汚物の臭気の漏洩を簡易かつ確実に防止できる。
【００３５】
(b)同一の便槽１０を和式便器と洋式便器に共用するために、床２０を上下２段の上段床２２と下段床２１の積層体からなるものにした仮設トイレ１００にあっても、上述(a)と実質的に同様にして、下段床２１の上に積層される上段床２２及び便器３０の重量が上段床２２の通し孔上縁面５１ｊと下段床２１の通し孔上縁面５１ｉとの接続部に介装された中間シール材５１に自然に及んでこれを挟圧し、その接続部の隙間を埋め、臭気の漏洩を確実に防止できる。
【００３６】
(c)床２０にハウス４０の下端部を取着し、床２０及び便器３０がハウス４０内に配置されてなる仮設トイレ１００においては、上述(a)の各接続部に介装される上部シール材５２と下部シール材５３、更には上述(b)の接続部に介装される中間シール材５１を挟圧する重量として、床２０に取着したハウス４０の重量も自然に及ぶものになる。従って、それらのシール材５１、５２、５３を一層確実に挟圧し、それらの接続部の隙間を一層完全に埋め、臭気の漏洩を一層確実に防止できる。
【００３７】
以上、本考案の実施例を図面により詳述したが、本考案の具体的な構成はこの実施例に限られるものではなく、本考案の要旨を逸脱しない範囲の設計の変更等があっても本考案に含まれる。例えば、仮設トイレの床は上下２段をなす上段床と下段床の積層体からなるものに限らず、１段の単一成形体からなるものでも良い。
【産業上の利用可能性】
【００３８】
本考案は、便槽の上に、床と便器が積層されて接続され、便器の底部の落とし口に便蓋が設けられるとともに、該落とし口が床の通し孔を介して便槽の上部開口に連通されてなる仮設トイレの防臭構造において、床の通し孔上縁面と便器の外周下縁面との間に介装された上部シール材が、床の上に積層される便器の重量を受けて、それらの床の通し孔上縁面と便器の外周下縁面との間に挟圧され、便槽の上部開口の開口上縁面と床の通し孔下縁面との間に介装された下部シール材が、便槽の上に積層される床及び便器の重量を受けて、それらの便槽の開口上縁面と床の通し孔下縁面との間に挟圧される。これにより、便槽の上に、床と便器が積層されて接続された仮設トイレにおいて、便槽に収容した汚物の臭気の漏洩を簡易かつ確実に防止することができる。
【符号の説明】
【００３９】
１０  便槽
１０Ａ  上部開口
２０  床
２１  下段床
２１Ａ  下通し孔
２２  上段床
２２Ａ  上通し孔
３０  便器
３０Ａ  落とし口
３１  便蓋
４０  ハウス
５１  中間シール材
５１ｉ  下段床の通し孔上縁面
５１ｊ  上段床の通し孔下縁面
５２  上部シール材
５２ｉ  上段床の通し孔上縁面
５２ｊ  便器の外周下縁面
５３  下部シール材
５３ｉ  便槽の開口上縁面
５３ｊ  下段床の通し孔下縁面
１００  仮設トイレ
【図１】
0003182812.tif 000003
【図２】
0003182812.tif 000004
【図３】
0003182812.tif 000005
【図４】
0003182812.tif 000006
【図５】
0003182812.tif 000007
【図６】
0003182812.tif 000008